(57)【要約】【課題】携帯電話保護ケースの熱転写印刷に用いる治具構造体を提供する。【解決手段】携帯電話保護ケースの内面が結合される結合部、及び結合部の下部に延設され、熱転写印刷作業台に固設される固定台を備える。本発明によれば、携帯電話保護ケースに熱転写フィルムを圧着する過程で、携帯電話保護ケースのコーナー部での熱転写フィルムの圧着により熱転写フィルムが重ねられる問題を解決することができ、それによって、印刷製品の生産効率性及び印刷品質を向上させることができる。【選択図】図１
2017074770.tif 000002
【特許請求の範囲】
【請求項１】
携帯電話保護ケース（５０）の熱転写印刷に用いる治具構造体において、
前記携帯電話保護ケース（５０）の内面が結合される結合部（１００）と、
前記結合部（１００）の下部に延設され、熱転写印刷作業台に固設される固定台（２００）と、を含む携帯電話保護ケースの熱転写印刷に用いる治具構造体。
【請求項２】
前記固定台（２００）は、前記結合部（１００）を前記熱転写印刷作業台の床面から所定の高さだけ離間させる長方形の本体部（２３０）を含む請求項１に記載の携帯電話保護ケースの熱転写印刷に用いる治具構造体。
【請求項３】
前記固定台（２００）は、前記本体部（２３０）の上端と下端からそれぞれ延設される傾斜状翼部（２５０）を更に含む請求項２に記載の携帯電話保護ケースの熱転写印刷に用いる治具構造体。
【請求項４】
前記傾斜状翼部（２５０）は、前記結合部（１００）の上端と下端からそれぞれ所定の長さだけ突出するように形成される請求項３に記載の携帯電話保護ケースの熱転写印刷に用いる治具構造体。
【請求項５】
前記傾斜状翼部（２５０）は、前記結合部（１００）の上端と下端で熱転写フィルム（５５）が引っ張られる現象を防止する請求項３に記載の携帯電話保護ケースの熱転写印刷に用いる治具構造体。
【請求項６】
前記傾斜状翼部（２５０）は、前記結合部（１００）の上下端での熱転写フィルム（５５）の伸び率を一定に維持させる請求項３に記載の携帯電話保護ケースの熱転写印刷に用いる治具構造体。
【請求項７】
前記傾斜状翼部（２５０）の左右端部には、前記本体部（２３０）の側面部まで連結されるラウンド部（２５５）が形成されている請求項３に記載の携帯電話保護ケースの熱転写印刷に用いる治具構造体。
【請求項８】
前記本体部（２３０）の左右側面の上端と下端には、所定サイズの幅を有する溝部（２３５）が形成されている請求項３に記載の携帯電話保護ケースの熱転写印刷に用いる治具構造体。
【請求項９】
前記溝部（２３５）は、垂直方向に形成された半円状溝である請求項８に記載の携帯電話保護ケースの熱転写印刷に用いる治具構造体。
【請求項１０】
前記溝部（２３５）は、前記結合部（１００）のコーナーまで延設される請求項８に記載の携帯電話保護ケースの熱転写印刷に用いる治具構造体。
【請求項１１】
前記本体部（２３０）は、約８ｍｍ乃至１０ｍｍ程度の高さを有している請求項２に記載の携帯電話保護ケースの熱転写印刷に用いる治具構造体。
【発明の詳細な説明】
【技術分野】
【０００１】
本発明は携帯電話保護ケースの熱転写印刷に用いる治具構造体に関するもので、より詳細には、携帯電話保護ケースに熱転写フィルムを圧着する過程で、携帯電話保護ケースのコーナー部での熱転写フィルムの圧着により熱転写フィルムが重ねられる問題を解決することができ、それによって、印刷製品の生産効率性及び印刷品質を向上させることができる携帯電話保護ケースの熱転写印刷に用いる治具構造体に関するものである。
【背景技術】
【０００２】
最近、スマートフォンの広範囲な普及によって、スマートフォンに着脱可能に結合されるスマートフォン保護ケースに対する市場のニーズが急激に増大している。
【０００３】
一方、スマートフォン保護ケースには、消費者の好みに合わせた様々な形態の模様や絵を形成することが一般的である。スマートフォン保護ケースに様々な形態の模様や絵を形成する方法としては、熱転写フィルムを用いる熱転写印刷方法を広く用いている。
【０００４】
具体的には、熱転写印刷装置の作業台に固定される治具構造体に未印刷状態のスマートフォン保護ケースを結合し、スマートフォン保護ケースの上部に熱転写フィルムを載置した後、熱転写フィルムを加熱すると共に、真空圧着させることによって、熱転写フィルムがスマートフォン保護ケースに圧着される。
【０００５】
しかし、従来の技術によれば、図１に示すように、スマートフォン保護ケースに熱転写フィルムを圧着する過程で、スマートフォン保護ケースの背面コーナー部Ａの角付近で熱転写フィルムが圧着過程で重ねられる現象が発生するようになる。
【０００６】
このように熱転写フィルムが重ねられる現象は、作業者による後処理作業を要するため、製品の生産効率性を低下するのみならず、スマートフォン保護ケースの印刷品質が低下する問題がある。
【発明の概要】
【発明が解決しようとする課題】
【０００７】
従って、本発明の目的は、携帯電話保護ケースに熱転写フィルムを圧着する過程で、携帯電話保護ケースのコーナー部での熱転写フィルムの圧着過程で熱転写フィルムが重ねられる問題を解決することができ、それによって、印刷製品の生産効率性及び印刷品質を向上させることができる携帯電話保護ケースの熱転写印刷に用いる治具構造体を提供することにある。
【課題を解決するための手段】
【０００８】
前述の目的を達成するための本発明に係る携帯電話保護ケースの熱転写印刷に用いる治具構造体は、携帯電話保護ケース（５０）の熱転写印刷に用いる治具構造体において、前記携帯電話保護ケース（５０）の内面が結合される結合部（１００）と、前記結合部（１００）の下部に延設され、熱転写印刷作業台に固設される固定台（２００）と、を含む。
【０００９】
好ましくは、前記固定台（２００）は、前記結合部（１００）を前記印刷作業台の床面から所定の高さだけ離間させる長方形の本体部（２３０）を含むことを特徴とする。
【００１０】
また、前記固定台（２００）は、前記本体部（２３０）の上端と下端からそれぞれ延設される傾斜状翼部（２５０）を更に含むことを特徴とする。
【００１１】
また、前記傾斜状翼部（２５０）は、前記結合部（１００）の上端と下端からそれぞれ所定の長さだけ突出するように形成されたことを特徴とする。
【００１２】
また、前記傾斜状翼部（２５０）は、前記結合部（１００）の上端と下端で熱転写フィルム５５が引っ張られる現象を防止することを特徴とする。
【００１３】
また、前記傾斜状翼部（２５０）は、前記結合部（１００）の上下端での熱転写フィルム（５５）の伸び率を一定に維持させることを特徴とする。
【００１４】
また、前記傾斜状翼部（２５０）は、前記固定台（２００）と前記結合部（１００）との境界線から水平方向に延設される水平面（２５３）、前記水平面（２５３）から斜め方向に延設される傾斜面（２５１）、及び前記傾斜面（２５１）と側面角（２５７）を形成する垂直面（２５９）を含むことを特徴とする。
【００１５】
また、傾斜面（２５１）と垂直面（２５９）とが形成する側面角（２５７）は、前記スマートフォン保護ケースの上端と下端で前記熱転写フィルム（５５）がスマートフォン保護ケースのコーナー方向に引っ張られることを防止することを特徴とする。
【００１６】
また、前記傾斜状翼部（２５０）の左右端部には、前記本体部（２３０）の側面部まで連結されるラウンド部（２５５）が形成されていることを特徴とする。
【００１７】
また、前記本体部（２３０）の左右側面の上端と下端には、所定サイズの幅を有する溝部（２３５）が形成されていることを特徴とする。
【００１８】
また、前記溝部（２３５）は、垂直方向に形成された半円状溝であることを特徴とする。
【００１９】
また、前記溝部（２３５）は、前記結合部（１００）のコーナーまで延設されることを特徴とする。
【００２０】
また、前記結合部（１００）に結合された前記携帯電話保護ケースの内側コーナー部（Ａ）は、前記溝部（２３５）によって前記結合部（１００）との離隔空間（１１０）を形成することを特徴とする。
【００２１】
また、前記携帯電話保護ケースの熱転写印刷に用いる熱転写フィルム（５５）の真空吸着によって、前記携帯電話保護ケースのコーナー部（Ａ）での熱転写フィルム（５５）は、前記溝部（２３５）の内面に流入及び吸着されることを特徴とする。
【００２２】
また、前記携帯電話保護ケースの熱転写印刷に用いる熱転写フィルム（５５）の真空吸着による、前記携帯電話保護ケースの内面と前記結合部（１００）との間に形成された前記離隔空間（１１０）での圧力降下によって、前記携帯電話保護ケースのコーナー部（Ａ）での熱転写フィルム（５５）は、前記携帯電話保護ケースのコーナー部（Ａ）の内面方向に流入及び吸着されることを特徴とする。
【００２３】
更に、前記本体部（２３０）は、約８ｍｍ乃至１０ｍｍ程度の高さを有していることを特徴とする。
【発明の効果】
【００２４】
本発明によれば、携帯電話保護ケースに熱転写フィルムを圧着する過程で、携帯電話保護ケースのコーナー部での熱転写フィルムの圧着により熱転写フィルムが重ねられる問題を解決することができ、それによって、印刷製品の生産効率性及び印刷品質を向上させることができる。
【図面の簡単な説明】
【００２５】
【図１】従来技術による携帯電話保護ケースの熱転写印刷に用いる治具構造体により熱転写印刷を行う状態を示す写真図である。
【図２】本発明の一実施形態に係る携帯電話保護ケースの熱転写印刷に用いる治具構造体と携帯電話保護ケースとを示す分解斜視図である。
【図３】本発明の一実施形態に係る携帯電話保護ケースの熱転写印刷に用いる治具構造体の下部構造を示す斜視図である。
【図４】本発明の一実施形態に係る携帯電話保護ケースの熱転写印刷に用いる治具構造体に携帯電話保護ケースが結合された状態を示す端面図である。
【図５】本発明の他の実施形態に係る携帯電話保護ケースの熱転写印刷に用いる治具構造体の構造を示す斜視図である。
【図６】本発明に係る携帯電話保護ケースの熱転写印刷に用いる治具構造体により熱転写印刷を行う状態を示す写真図である。
【発明を実施するための形態】
【００２６】
以下、添付図面を参照して本発明の実施形態をより詳細に説明する。図面において、明細書全体を通して同一の構成要素についてはできるだけ同一の符号を付し、その重複説明や本発明の要旨を不明にする公知の機能及び構成についての詳細な説明は適宜省略する。
図２は本発明の一実施形態に係る携帯電話保護ケース５０の熱転写印刷に用いる治具構造体と携帯電話保護ケース５０とを示す分解斜視図である。図２を参照すると、本発明の一実施形態に係る携帯電話保護ケース５０の熱転写印刷に用いる治具構造体は、結合部１００及び固定台２００を含む。
【００２７】
結合部１００は、携帯電話保護ケース５０の内面が結合される部分であって、結合部１００の角部は、携帯電話保護ケース５０の内側面の形状に応じて曲面処理されている。
【００２８】
一方、保持固定台２００は熱転写印刷作業台の下部面に固設される部分であって、結合部１００の下部から延設され、長方形の本体部２３０及び傾斜状翼部２５０からなっている。
【００２９】
まず、固定台２００を構成する本体部２３０は、結合部１００を印刷作業台の床面から所定の高さだけ離間させる。それによって、結合部１００に結合された携帯電話保護ケース５０の角部での屈曲面に沿って圧着される熱転写フィルム５５が携帯電話保護ケース５０の角端部の全体に亘って十分に圧着されて印刷品質が向上するように、熱転写フィルム５５を携帯電話保護ケース５０の角端部での印刷作業台の床面から十分に離間させる機能を有する。
【００３０】
本発明者は、熱転写フィルム５５が携帯電話保護ケース５０の角端部の全体に亘って十分に圧着されることができる本体部２３０の高さを繰り返しテストを行って確認した。その結果、本体部２３０の高さは約８ｍｍ乃至１０ｍｍ程度（好ましくは約９ｍｍ）が好ましいことを確認した。
具体的には、本体部２３０の高さが８ｍｍ未満の場合には、熱転写フィルム５５が携帯電話保護ケース５０の角端部まで圧着されないため、印刷品質が低下する問題点が発生する。また、１０ｍｍを超える場合には、熱転写フィルム５５が携帯電話保護ケース５０の角端部を越えて、本体部２３０の側面までに圧着される問題点がある。
【００３１】
一方、傾斜状翼部２５０は、本体部２３０の上端と下端からそれぞれ延設され、結合部１００の上端と下端からそれぞれ所定の長さ（例えば、１〜１．５ｃｍ程度）だけ突出するように形成される。
【００３２】
このような傾斜状翼部２５０は、携帯電話の長方形形状に応じて比較的短い長さを有する結合部１００の上端と下端で熱転写フィルム５５が圧着される過程で、携帯電話保護ケース５０のコーナー部Ａへの偏り（引っ張られ）現象が発生することを防止する機能を有する。
【００３３】
具体的には、携帯電話保護ケース５０での熱転写フィルム５５の圧着過程で、角の直線区間では熱転写フィルム５５の伸び率が比較的一定に維持される反面、コーナー部Ａの曲線区間では熱転写フィルム５５の伸び率が一定に維持されない。それによって、携帯電話保護ケース５０のコーナー部Ａで熱転写フィルム５５が重ねられる現象（所謂、重畳現象）が発生し、コーナー部Ａでの印刷品質が低下するようになる。即ち、コーナー部Ａに隣接した直線区間における熱転写フィルム５５までも引っ張られることによって、隣接した直線区間で印刷品質が低下する問題がある。
【００３４】
一方、このような直線区間での熱転写フィルム５５の傾き（引っ張られ）現象は、相対的に長さが短い直線区間を有する直線保護用の携帯電話保護ケース５０の上端部と下端部でより深刻に発生する。
【００３５】
従って、本発明においは、本体部２３０の上端と下端からそれぞれ延設される傾斜状翼部２５０を備えることによって、結合部１００の上端と下端で熱転写フィルム５５がコーナー方向へ偏く（引っ張られる）現象を傾斜状翼部２５０によって阻止すると共に、傾斜状翼部２５０によって結合部１００の上端と下端の熱転写フィルム５５の伸び率を一定に維持させるようにする。
【００３６】
具体的には、傾斜状翼部２５０は、図２に示すように、傾斜面２５１、水平面２５３、及び垂直面２５９を含んでおり、傾斜面２５１は熱転写フィルム５５の圧着を斜め方向に誘導する機能を行い、傾斜面２５１と垂直面２５９とが形成する側面角は、熱転写フィルム５５がコーナー方向に引っ張られることを阻止する機能を有する。
【００３７】
併せて、傾斜状翼部２５０における傾斜面２５１に引接した水平面２５３と垂直面２５９とが合う頂点も熱転写フィルム５５がコーナー方向に引っ張られることを阻止する機能を有する。
【００３８】
また、本発明においては、傾斜状翼部２５０で傾斜面２５１が形成される個所を所定の幅（約４〜７ｍｍ）だけ延びる役割をする水平面２５３を備えることによって、傾斜面２５１を形成することにもかかわらず、熱転写フィルム５５は携帯電話保護ケース５０の上下角端部の全体に亘って十分に圧着されるようになる。
【００３９】
併せて、傾斜状翼部２５０における傾斜面２５１と垂直面２５９とが形成する側面角２５７によって熱転写フィルム５５がコーナー方向に引っ張られることを阻止すると共に、その過程で側面角２５７によって熱転写フィルム５５が切断または破損することを防止するためには、その側面角２５７を、ラウンドロビン処理または傾斜面２５１処理を施すことが好ましい。
【００４０】
また、熱転写フィルム５５と側面角２５７の部位との摩擦力を高めることで、熱転写フィルム５５が引っ張られる現象をより効率的に阻止するために、ラウンドロビン処理または傾斜面２５１処理した側面角２５７における丸い面又は傾斜面２５１対しては、追加の粗面処理を施すこともできる。
【００４１】
図３は本発明の一実施形態に係る携帯電話保護ケース５０の熱転写印刷に用いる治具構造体の下部構造を示す斜視図である。図３に示すように、本発明に係る治具構造体での本体部２３０の下部面には、治具が固定される治具用プレートと結合される固定凹溝２７０が形成されており、本体部２３０の左右側面の上端と下端には、所定サイズ（例えば、４〜６ｍｍ程度）の幅を有する溝部２３５が形成される。
【００４２】
具体的には、溝部２３５は本体部２３０の下面から垂直方向に形成された半円状溝であって、図３に示すように、この溝部２３５は結合部１００のコーナー領域まで延設される。
【００４３】
その結果、図４に示すように、治具構造体の結合部１００に結合された携帯電話保護ケース５０の内側コーナー部Ａは、溝部２３５によって結合部１００との離隔空間１１０を形成するようになる。その結果、熱転写フィルム５５の真空吸着により携帯電話保護ケース５０のコーナー部Ａでの熱転写フィルム５５は、溝部２３５の内面に流入及び吸着されることによって、図６に示すように、携帯電話保護ケース５０のコーナー部Ａにおける印刷品質を著しく高めることができるようになる。
【００４４】
具体的には、熱転写フィルム５５の真空吸着過程によって携帯電話保護ケース５０の内面と結合部１００との間に形成された離隔空間１１０には圧力降下が発生するようになる。その結果、携帯電話保護ケース５０のコーナー部Ａにおける熱転写フィルム５５は、携帯電話保護ケース５０のコーナー部Ａの内面方向に流入及び吸着されるようになる。
【００４５】
図５は本発明の他の実施形態に係る携帯電話保護ケース５０の熱転写印刷に用いる治具構造体の構造を示す斜視図である。図５に示すように、本発明の他の実施形態に係る携帯電話保護ケース５０の熱転写印刷に用いる治具構造体は、図３に示した本発明の一実施形態に係る携帯電話保護ケース５０の熱転写印刷に用いる治具構造体に設けられた溝部２３５を備えていない代わりに、傾斜状翼部２５０の左右端部に曲線加工されたラウンド部２５５が形成されている。
【００４６】
このように傾斜状翼部２５０の左右端部に形成されたラウンド部２５５は、本体部２３０の側面部まで連結されており、ラウンド部２５５によって、携帯電話保護ケース５０のコーナー部Ａで熱転写フィルム５５が重ねられる現象（所謂、重畳現象）が発生することを防止することができるようになる。
【００４７】
本発明で用いた用語は単に特定の実施形態を説明するために用いたもので、本発明を限定しようとする意図はない。単数の表現は文脈上、明確に異なることを意味しない限り、複数の表現を含む。本出願において、「含む」または「有する」などの用語は明細書中記載した特徴、数字、段階、動作、構成要素、部品または、これらを組み合わせたものが存在することを指定しようとするものであって、一つまたは、それ以上の他の特徴や数字、段階、動作、構成要素、部品または、これらを組み合わせたものなどの存在、または、付加の可能性を予め排除しないものとして理解されなければならない。
【００４８】
以上では本発明の好ましい実施形態及び応用例について図示及び説明したが、本発明は前述した特定の実施形態及び応用例に限定されず、請求範囲で請求する本発明の要旨を逸脱することなく当該発明が属する技術分野で通常の知識を有する者により多様な変形実施が可能であることは勿論であり、このような変形実施は本発明の技術的思想や展望から個別的に理解されてはならない。
【符号の説明】
【００４９】
５０  携帯電話保護ケース
５５  熱転写フィルム
１００  結合部
１１０  離隔空間
２００  固定台
２３０  本体部
２３５  溝部
２５０  傾斜状翼部
２５５  ラウンド部
２７０  固定凹溝
【図１】
2017074770.tif 000003
【図２】
2017074770.tif 000004
【図３】
2017074770.tif 000005
【図４】
2017074770.tif 000006
【図５】
2017074770.tif 000007
【図６】
2017074770.tif 000008
【手続補正書】
【提出日】平成29年1月24日(2017.1.24)
【手続補正１】
【補正対象書類名】明細書
【補正対象項目名】００１０
【補正方法】変更
【補正の内容】
【００１０】
また、前記固定台（２００）は、長方形の前記本体部（２３０）の短辺である上端と下端からそれぞれ延設される傾斜状翼部（２５０）を更に含むことを特徴とする。
【手続補正２】
【補正対象書類名】明細書
【補正対象項目名】００１１
【補正方法】変更
【補正の内容】
【００１１】
また、前記傾斜状翼部（２５０）は、前記長方形の前記本体部（２３０）の短辺である上端と下端の近傍にある前記結合部（１００）の上端と下端からそれぞれ所定の長さだけ突出するように、前記本体部の上端と下端に形成されたことを特徴とする。
【手続補正３】
【補正対象書類名】明細書
【補正対象項目名】００１３
【補正方法】変更
【補正の内容】
【００１３】
また、前記傾斜状翼部（２５０）は、前記結合部（１００）の上端と下端での熱転写フィルム（５５）の伸び率を一定に維持させることを特徴とする。
【手続補正４】
【補正対象書類名】明細書
【補正対象項目名】００１６
【補正方法】変更
【補正の内容】
【００１６】
また、前記傾斜状翼部（２５０）の左右端部には、前記本体部（２３０）の下面と前記結合部(１００)との間にある側面部まで連結されるラウンド部（２５５）が形成されていることを特徴とする。
【手続補正５】
【補正対象書類名】明細書
【補正対象項目名】００１７
【補正方法】変更
【補正の内容】
【００１７】
また、前記本体部（２３０）の下面と前記結合部(１００)との間で、前記本体部（２３０）の長辺にある左右側面部の上端と下端には、所定サイズの幅を有する溝部（２３５）が形成されていることを特徴とする。
【手続補正６】
【補正対象書類名】明細書
【補正対象項目名】００１８
【補正方法】変更
【補正の内容】
【００１８】
また、前記溝部（２３５）は、前記本体部(２３０)の下面から前記結合部(１００)に向かう方向に形成された半円状溝であることを特徴とする。
【手続補正７】
【補正対象書類名】特許請求の範囲
【補正対象項目名】全文
【補正方法】変更
【補正の内容】
【特許請求の範囲】
【請求項１】
携帯電話保護ケース（５０）の熱転写印刷に用いる治具構造体において、
前記携帯電話保護ケース（５０）の内面が結合される結合部（１００）と、
前記結合部（１００）の下部に延設され、熱転写印刷作業台に固設される固定台（２００）と、を含み、
前記固定台（２００）は、前記結合部（１００）を前記熱転写印刷作業台の床面から所定の高さだけ離間させる長方形の本体部（２３０）と、長方形の前記本体部（２３０）の短辺である上端と下端からそれぞれ延設される傾斜状翼部（２５０）を含む、携帯電話保護ケースの熱転写印刷に用いる治具構造体。
【請求項２】
前記傾斜状翼部（２５０）は、前記本体部（２３０）の短辺である上端と下端の近傍にある前記結合部（１００）の上端と下端からそれぞれ所定の長さだけ突出するように、前記本体部（２３０）の上端と下端に形成される請求項１に記載の携帯電話保護ケースの熱転写印刷に用いる治具構造体。
【請求項３】
前記傾斜状翼部（２５０）は、前記結合部（１００）の上端と下端で熱転写フィルム（５５）が引っ張られる現象を防止する請求項１に記載の携帯電話保護ケースの熱転写印刷に用いる治具構造体。
【請求項４】
前記傾斜状翼部（２５０）は、前記結合部（１００）の上端と下端での熱転写フィルム（５５）の伸び率を一定に維持させる請求項１に記載の携帯電話保護ケースの熱転写印刷に用いる治具構造体。
【請求項５】
前記傾斜状翼部（２５０）の左右端部には、前記本体部（２３０）の下面と前記結合部（１００）との間にある側面部まで連結されるラウンド部（２５５）が形成されている請求項１に記載の携帯電話保護ケースの熱転写印刷に用いる治具構造体。
【請求項６】
前記本体部（２３０）の下面と前記結合部（１００）との間であって、前記本体部（２３０）の長辺にある左右側面部の上端と下端には、所定サイズの幅を有する溝部（２３５）が形成されている請求項１に記載の携帯電話保護ケースの熱転写印刷に用いる治具構造体。
【請求項７】
前記溝部（２３５）は前記本体部(２３０)の下面から前記結合部（１００）に向う方向に形成された半円状溝である請求項６に記載の携帯電話保護ケースの熱転写印刷に用いる治具構造体。
【請求項８】
前記溝部（２３５）は、前記結合部（１００）のコーナーまで延設される請求項６に記載の携帯電話保護ケースの熱転写印刷に用いる治具構造体。
【請求項９】
前記本体部（２３０）は、約８ｍｍ乃至１０ｍｍの高さを有している請求項１に記載の携帯電話保護ケースの熱転写印刷に用いる治具構造体。
【手続補正書】
【提出日】平成29年2月13日(2017.2.13)
【手続補正１】
【補正対象書類名】特許請求の範囲
【補正対象項目名】請求項９
【補正方法】変更
【補正の内容】
【請求項９】
前記本体部（２３０）は、８ｍｍ乃至１０ｍｍの高さを有している請求項１に記載の携帯電話保護ケースの熱転写印刷に用いる治具構造体。